(57)【要約】【課題】履歴情報から選択して提示された設定項目に設定された設定値を採用するか否かを決定することや設定値を修正することが可能な情報処理装置及びプログラムを提供する。【解決手段】情報処理装置は、処理対象が含まれる画像と処理対象に対する処理を選択する操作を受け付ける受付手段と、処理対象の特徴を示す特徴情報と処理対象に対して実行された処理を識別する処理識別情報と該処理が実行されたときに設定値の設定が行われた設定項目を示す情報とを関連付けて記録した履歴情報に応じて、受け付けられた画像及び選択された処理に対応する第１の設定項目を提示する提示手段と、提示された第１の設定項目に設定値を設定する設定手段を表示するよう制御する表示制御手段とを備える。【選択図】図１
2020043517.tif 000002
【特許請求の範囲】
【請求項１】
処理対象が含まれる画像と前記処理対象に対する処理を選択する操作を受け付ける受付手段と、
前記処理対象の特徴を示す特徴情報と前記処理対象に対して実行された前記処理を識別する処理識別情報と該処理が実行されたときに設定値の設定が行われた設定項目を示す情報とを関連付けて記録した履歴情報に応じて、受け付けられた前記画像及び選択された前記処理に対応する第１の設定項目を提示する提示手段と、
提示された前記第１の設定項目に前記設定値を設定する設定手段を表示するよう制御する表示制御手段と、
を備える、情報処理装置。
【請求項２】
前記履歴情報は、前記設定項目を示す情報に関連付けて記録された、前記設定値の設定が行われた回数を示す情報を含む、
請求項１に記載の情報処理装置。
【請求項３】
前記表示制御手段は、前記回数が予め定められた第１の数以上の場合に、前記第１の設定項目に対応する前記設定手段を表示するよう制御する、
請求項２に記載の情報処理装置。
【請求項４】
前記表示制御手段は、前記回数が多い順に予め定められた個数の前記第１の設定項目に対応する前記設定手段を表示するよう制御する、
請求項２に記載の情報処理装置。
【請求項５】
前記表示制御手段は、前記回数が予め定められた第２の数未満の場合に、前記第１の設定項目に対応する前記設定手段を表示しないように制御する、
請求項４に記載の情報処理装置。
【請求項６】
前記表示制御手段は、前記第１の設定項目のうち、予め前記設定値の設定が行われた第２の設定項目を除いた残りの第３の設定項目に対応する前記設定手段を表示するよう制御する、
請求項１から５のいずれか１項に記載の情報処理装置。
【請求項７】
前記表示制御手段は、前記処理が実行されたときに前記設定値の設定が行われた前記設定項目を示す情報を、前記処理対象の特徴情報と関連付けて前記履歴情報に追加するか否かを問い合わせる確認情報を表示するよう制御する、
請求項１から６のいずれか１項に記載の情報処理装置。
【請求項８】
表示された前記確認情報により前記設定項目を前記履歴情報に追加する指示がなされた場合に、前記設定項目を示す情報を追加して前記履歴情報を更新する更新手段をさらに備える、
請求項７に記載の情報処理装置。
【請求項９】
コンピュータを、
処理対象が含まれる画像と前記処理対象に対する処理を選択する操作を受け付ける受付手段と、
前記処理対象の特徴を示す特徴情報と前記処理対象に対して実行された前記処理を識別する処理識別情報と該処理が実行されたときに設定値の設定が行われた設定項目とを関連付けて記録した履歴情報に応じて、受け付けられた前記画像及び選択された前記処理に対応する第１の設定項目を提示する提示手段と、
提示された前記第１の設定項目に前記設定値を設定する設定手段を表示するよう制御する表示制御手段
として機能させるためのプログラム。
【発明の詳細な説明】
【技術分野】
【０００１】
本発明は、情報処理装置及びプログラムに関する。
【背景技術】
【０００２】
近年、実行するジョブの機能や詳細設定の入力操作を簡易化する機能を備えた情報処理装置が提案されている（例えば、特許文献１参照。）。
【０００３】
特許文献１に記載された情報処理装置としての出力装置は、保存されたジョブ履歴情報の履歴のうちから、実行しようとする新たなジョブとの関連が深いものを検索して、履歴として保存された設定で機能を実行する実行手段を備える。
【先行技術文献】
【特許文献】
【０００４】
【特許文献１】特開２００９−２５３７７１号公報
【発明の概要】
【発明が解決しようとする課題】
【０００５】
実行しようとする新たなジョブとの関連有する履歴が検索された場合に履歴に記録された設定通りにジョブが実行されてしまうと、操作者の意図しない機能までもが実行されてしまう虞がある。
【０００６】
本発明の課題は、履歴情報から選択して提示された設定項目に設定された設定値を採用するか否かを決定することや設定値を修正することが可能な情報処理装置及びプログラムを提供することにある。
【課題を解決するための手段】
【０００７】
［１］処理対象が含まれる画像と前記処理対象に対する処理を選択する操作を受け付ける受付手段と、
前記処理対象の特徴を示す特徴情報と前記処理対象に対して実行された前記処理を識別する処理識別情報と該処理が実行されたときに設定値の設定が行われた設定項目を示す情報とを関連付けて記録した履歴情報に応じて、受け付けられた前記画像及び選択された前記処理に対応する第１の設定項目を提示する提示手段と、
提示された前記第１の設定項目に前記設定値を設定する設定手段を表示するよう制御する表示制御手段と、
を備える、情報処理装置。
［２］前記履歴情報は、前記設定項目を示す情報に関連付けて記録された、前記設定値の設定が行われた回数を示す情報を含む、
前記［１］に記載の情報処理装置。
［３］前記表示制御手段は、前記回数が予め定められた第１の数以上の場合に、前記第１の設定項目に対応する前記設定手段を表示するよう制御する、
前記［２］に記載の情報処理装置。
［４］前記表示制御手段は、前記回数が多い順に予め定められた個数の前記第１の設定項目に対応する前記設定手段を表示するよう制御する、
前記［２］に記載の情報処理装置。
［５］前記表示制御手段は、前記回数が予め定められた第２の数未満の場合に、前記第１の設定項目に対応する前記設定手段を表示しないように制御する、
前記［４］に記載の情報処理装置。
［６］前記表示制御手段は、前記第１の設定項目のうち、予め前記設定値の設定が行われた第２の設定項目を除いた残りの第３の設定項目に対応する前記設定手段を表示するよう制御する、
前記［１］から［５］のいずれか１つに記載の情報処理装置。
［７］前記表示制御手段は、前記処理が実行されたときに前記設定値の設定が行われた前記設定項目を示す情報を、前記処理対象の特徴情報と関連付けて前記履歴情報に追加するか否かを問い合わせる確認情報を表示するよう制御する、
前記［１］から［６］のいずれか１つに記載の情報処理装置。
［８］表示された前記確認情報により前記設定項目を前記履歴情報に追加する指示がなされた場合に、前記設定項目を示す情報を追加して前記履歴情報を更新する更新手段をさらに備える、
前記［７］に記載の情報処理装置。
［９］コンピュータを、
処理対象が含まれる画像と前記処理対象に対する処理を選択する操作を受け付ける受付手段と、
前記処理対象の特徴を示す特徴情報と前記処理対象に対して実行された前記処理を識別する処理識別情報と該処理が実行されたときに設定値の設定が行われた設定項目とを関連付けて記録した履歴情報に応じて、受け付けられた前記画像及び選択された前記処理に対応する第１の設定項目を提示する提示手段と、
提示された前記第１の設定項目に前記設定値を設定する設定手段を表示するよう制御する表示制御手段
として機能させるためのプログラム。
【発明の効果】
【０００８】
請求項１、９に係る発明によれば、履歴情報から選択して提示された設定項目に設定された設定値を採用するか否かを決定することや設定値を修正することができる。
請求項２、３に係る発明によれば、設定項目に設定が行われた回数に応じて設定項目を提示することができる。
請求項４に係る発明によれば、設定項目に設定が行われた回数の多い順に設定項目を提示することができる。
請求項５に係る発明によれば、設定項目を履歴から選択して提示するときの下限値を設定することができる。
請求項６に係る発明によれば、同一の設定値を二重に設定することを抑制することができる。
請求項７、８に係る発明によれば、操作者の意思に応じて履歴を更新することができる。
【図面の簡単な説明】
【０００９】
【図１】図１は、本実施の形態に係る画像形成装置の制御系の一例を示すブロック図である。
【図２】図２は、第１の履歴情報テーブルの一例を示す図である。
【図３】図３は、第２の履歴情報テーブルの一例を示す図である。
【図４】図４は、ホーム画面の一例を示す図である。
【図５】図５は、レコメンドスキャン画面の一例を示す図である。
【図６】図６は、履歴情報の抽出の一例を説明する図である。
【図７】図７は、推奨画面の一例を示す図である。
【図８】図８は、Ｎ−ｕｐの設定画面の一例を示す図である。
【図９】図９は、カラーモードの設定画面の一例を示す図である。
【図１０】図１０は、確認画面の一例を示す図である。
【図１１】図１１は、追加される履歴情報の一例を示す図である。
【図１２】図１２は、更新後の第２の履歴情報テーブルの一部を抜粋して示す図である。
【図１３】図１３は、図１に示す画像形成装置の動作の一例を示すフローチャートである。
【図１４】図１４は、コピーに関する設定項目に設定値を設定する設定画面の一例を図である。
【図１５】図１５は、推奨画面の変形例を示すフローチャートである。
【図１６】図１６は、変形例に係る画像形成装置の動作の一例を示す図である。
【発明を実施するための形態】
【００１０】
以下、本発明の実施の形態について図面を参照して説明する。なお、各図中、実質的に同一の機能を有する構成要素については、同一の符号を付してその重複した説明を省略する。以下、情報処理装置として画像形成装置を例に説明するが、情報処理装置は画像形成装置に限られない。
【００１１】
［実施の形態］
図１は、本発明の実施の形態に係る画像形成装置の制御系の一例を示すブロック図である。この画像形成装置２は、例えば、スキャン機能、プリンタ機能、コピー機能、ファクシミリ機能、電子メール機能等の複数の機能（以下、「アプリケーション」ともいう。）を有する複合機である。アプリケーションは、処理の一例である。なお、画像形成装置２は、複合機に限定されるものではない。また、「アプリケーション」は、別名として、「サービス」との表現を用いてもよい。
【００１２】
図１に示すように、この画像形成装置２は、各部を制御する制御部２０と、各種のデータを記憶する記憶部２１と、情報の入力及び表示を行う操作表示部２２と、原稿から原稿画像を読み取る画像読取部２４と、画像を印刷出力する画像出力部２５と、外部ファクシミリ装置３に対して公衆回線網５を介してファクシミリ送受信を行うファクシミリ通信部２６と、外部装置４との間でネットワーク６を介して通信するネットワーク通信部２７とを備える。
【００１３】
制御部２０は、ＣＰＵ（Central Processing Unit）、インターフェース等から構成されている。ＣＰＵは、記憶部２１に記憶されたプログラム２１０に従って動作することにより、受付手段２００、第１の抽出手段２０１、特定手段２０２、第２の抽出手段２０３、表示制御手段２０４、実行手段２０５、更新手段２０６、集計手段２０７等として機能する。第２の抽出手段２０３は、提示手段の一例である。各手段２００〜２０７の詳細については後述する。
【００１４】
記憶部２１は、ＲＯＭ（Read Only Memory）、ＲＡＭ（Random Access Memory）、ハードディスク等から構成され、プログラム２１０、原稿情報２１１、第１の履歴情報テーブル２１２（図２参照）、第２の履歴情報テーブル２１３（図３参照）、画面情報２１４等の各種データを記憶する。なお、本明細書において、テーブルに情報を書き込む場合に「記録」を用い、記憶部２１に情報を書き込む場合に「記憶」を用いる。
【００１５】
原稿情報２１１は、原稿の種別と原稿の特徴情報とを関連付けて記録した情報である。原稿は、予め定められた形式（以下、「定型フォーマット」ともいう。）を有するものでもよく、自由な形式（以下、「非定型フォーマット」ともいう。）を有するものでもよい。
【００１６】
定型フォーマットを有する原稿には、例えば、申請書、請求書、契約書、仕様書、領収書、帳票等の取引文書、車検証、住民票等の各種証明文書、名刺、運転免許書、パスポート、保険証、社員証等の個人を識別する文書等が含まれる。非定型フォーマットを有する原稿には、例えば、会議資料等の私的文書が含まれる。原稿は、処理対象の一例である。
【００１７】
原稿の特徴情報とは、原稿の種別を特定するための特徴を示す情報をいう。原稿の特徴情報には、例えば、原稿の属性を示す属性情報、原稿を構成する章や節に記録されたタイトル等文字情報、ＱＲコード（登録商標）やバーコード等の画像情報、情報の入力の対象となる項目や欄の内容や位置等のフィールド情報等が含まれる。
【００１８】
属性情報には、例えば、原稿のサイズ、保存形式、閲覧権限、作成者、更新者、所属、ファイル名等の原稿に付随された情報が含まれる。「関連付ける」とは、情報を互いに紐付けることをいう。
【００１９】
図２は、第１の履歴情報テーブル２１２の一例を示す図である。第１の履歴情報テーブル２１２は、これまでに当該画像形成装置２で実行されたアプリケーションに係る情報を、原稿の種別を示す情報に関連付けて記録したものである。
【００２０】
図２に示すように、第１の履歴情報テーブル２１２には、「原稿の種別」欄と、「アプリケーション」欄と、「設定項目」欄とが設けられている。「原稿の種別」欄には、原稿情報２１１に記録された情報に対応する原稿の種別が記録されている。
【００２１】
「アプリケーション」欄には、アプリケーションを識別する情報が記録されている。「アプリケーション」欄には、例えば、コピー（ＩＤカードコピーを含む。）、ファックス、スキャナー（ボックス保存）、スキャナー（メール送信）等のアプリケーションの名称が記録されている。アプリケーションを識別する情報は、処理識別情報の一例である。
【００２２】
「設定項目」欄には、これまでにアプリケーションを実行する際に設定値の設定が行われたことがある項目の名称が記録されている。設定項目は、アプリケーションを実行するための条件（以下、単に「実行条件」ともいう。）を設定する項目をいう。
【００２３】
なお、第１の履歴情報テーブル２１２には、設定項目を示す情報と関連付けて設定された設定値を記録する「設定値」欄をさらに設けてもよい。第１の履歴情報テーブル２１２及びこのテーブルを構成する各情報は、履歴情報の一例である。設定項目の名称は、設定項目を示す情報の一例である。
【００２４】
図３は、第２の履歴情報テーブル２１３の一例を示す図である。第２の履歴情報テーブル２１３は、第１の履歴情報テーブル２１２に記録された情報を集計したものである。具体的には、第２の履歴情報テーブル２１３は、第１の履歴情報テーブル２１２に記録された原稿の合計数を原稿の種別ごとに記録するとともに、これまでに設定値の設定が行われた回数（以下、「設定回数」ともいう。）の合計を設定項目ごとに記録した情報である。設定回数は、回数の一例である。
【００２５】
なお、設定回数として集計の対象となる「設定」には、何ら設定値が設定されていない設定項目に新たに設定値を設定することに加えて、予め何らかの初期値が設定されている設定項目に改めてその初期値を設定値として決定する（すなわち、登録する）ことや、この初期値を他の値に変更すること等が含まれる。
【００２６】
図４に示すように、第２の履歴情報テーブル２１３には、「原稿の種別（合計数）」欄と、「アプリケーション」欄と、「設定項目（合計数）」欄とが設けられている。「原稿の種別（合計数）」欄には、「アプリケーション」欄に記録されたアプリケーションが実行された原稿の種別とともに、その種別を有する原稿の数が括弧で括られて記録されている（括弧内の数字参照）。
【００２７】
また、「設定項目（合計数）」欄には、「原稿の種別（合計数）」欄に記録された種別の原稿に対してこれまでに「アプリケーション」欄に記録されたアプリケーションを実行したときに設定値の設定が行われたことがある設定項目とともに、その設定回数が括弧で括られて記録されている（括弧内の数字参照）。第２の履歴情報テーブル２１３及びこのテーブルを構成する各情報は、履歴情報の一例である。
【００２８】
画面情報２１４は、表示制御手段２０４により操作表示部２２の表示面に表示される各種画面の情報である。画面情報２１４に係る画面には、例えば、ホーム画面７（図４参照。）、レコメンドスキャン画面７０（図５参照。）、推奨画面８，８Ａ（図７、図１５参照。）、設定画面８１，８２（図８、図９参照。）、確認画面９（図１０参照。）等が含まれる。
【００２９】
操作表示部２２は、例えば、タッチパネルディスプレイであり、液晶ディスプレイ等のディスプレイにタッチパネルを重合配置した構成を有する。なお、操作表示部２２は、入力部や操作部（不図示）と表示部とを別体として設けたものであってもよい。
【００３０】
画像読取部２４は、原稿から原稿画像を読み取るものであり、原稿台（不図示）上に設けられた自動原稿送り装置（不図示）と、スキャナーとを備え、原稿台に配置された原稿、又は自動原稿送り装置により送られた原稿から原稿画像を光学的に読み取る。
【００３１】
画像出力部２５は、例えば、電子写真方式、インクジェット方式等によりカラー画像又は白黒画像を用紙等の記録媒体に印刷出力する。
【００３２】
ファクシミリ通信部２６は、Ｇ３、Ｇ４等のファクシミリプロトコルに従ってデータの変復調を行い、公衆回線網５を介して外部ファクシミリ装置３とファクシミリ通信を行う。
【００３３】
ネットワーク通信部２７は、ＮＩＣ（Network Interface Card）等によって実現され、ネットワーク６を介して外部装置４との間で信号を送受信する。ネットワーク６は、例えば、ローカルエリアネットワーク（ＬＡＮ）、ワイドエリアネットワーク（ＷＡＮ）、インターネット、イントラネット等であり、有線でも無線でもよい。
【００３４】
（各手段２００〜２０７）
次に、制御部２０を構成する各手段２００〜２０７について説明する。受付手段２００は、操作表示部２２や外部装置４から入力された各種情報や信号を受け付ける。受付手段２００は、例えば、原稿像が含まれる画像（以下、「入力画像」ともいう。）、アプリケーションの実行を指示する操作や、アプリケーションを選択する操作等を受け付ける。
【００３５】
第１の抽出手段２０１は、受付手段２００により受け付けられた入力画像から原稿の特徴情報を抽出する。入力画像は、画像読取部２４が読み取って取得した読取画像でもよく、カメラ等の撮像部（不図示）が撮像して取得した撮像画像でもよい。
【００３６】
特徴情報の抽出には、公知の方法を用いてよい。一例として、原稿が定型フォーマットを有している場合、第１の抽出手段２０１は、原稿の構造を示す情報としてのフィールド情報を取得して特徴情報を抽出する。
【００３７】
あるいは、第１の抽出手段２０１は、原稿に対してＯＣＲ（Optical Character Recognition）解析を施し、特定のキーワード等の文字情報を取得して特徴情報を抽出してもよい。また、原稿内にＱＲコード（登録商標）等の識別情報が含まれる場合は、識別情報を解析して特徴情報を抽出してもよい。
【００３８】
特定手段２０２は、第１の抽出手段２０１により抽出された特徴情報を、記憶部２１に記憶された原稿情報２１１と照合し、この特徴情報に対応する原稿の種別を特定する。
【００３９】
第２の抽出手段２０３は、記憶部２１に記憶された第２の履歴情報テーブル２１３から、特定手段２０２により特定された原稿の種別及び選択されたアプリケーションに対応する履歴情報を抽出する。なお、第２の履歴情報テーブル２１３から特定の履歴情報を抽出することを、「呼び出す」ともいう。
【００４０】
表示制御手段２０４は、各画面や各情報を操作表示部２２の表示面（不図示）に表示するよう制御する。実行手段２０５は、選択されたアプリケーションを実行する指示に応じて、画像読取部２４、画像出力部２５、ファクシミリ通信部２６等を制御して各アプリケーションを実行する。
【００４１】
更新手段２０６は、操作者の指示に応じて、アプリケーションが実行されたときに設定値の設定が行われた設定項目を示す情報（例えば、設定項目の名称等）を第１の履歴情報テーブル２１２に追加して記録する。すなわち、更新手段２０６は、操作者の指示に応じて、第１の履歴情報テーブル２１２を更新する。
【００４２】
「アプリケーションが実行されたとき」には、アプリケーションが指示されたとき、すなわち、アプリケーションの実行を指示するジョブが生成されたとき、アプリケーションの実行が完了したとき、あるいは、アプリケーションの実行中の特定のタイミング等が含まれる。
【００４３】
集計手段２０７は、第１の履歴情報テーブル２１２に記録された情報を集計し、第２の履歴情報テーブル２１３を更新する。
【００４４】
（実施の形態の動作）
次に、画像形成装置２の動作の一例について図４〜図１３を参照して説明する。図４は、ホーム画面の一例を示す図である。ホーム画面７には、各アプリケーションの実行を指示する指示釦７１が設けられている。図５は、レコメンドスキャン画面の一例を示す図である。図６は、履歴情報の抽出の一例を説明する図である。図７は、推奨画面の一例を示す図である。図８及び図９は、設定画面の一例を示す図である。図１０は、確認画面の一例を示す図である。図１１は、追加される履歴情報の一例を示す図である。図１２は、更新後の第２の履歴情報テーブル２１３の一部を抜粋して示す図である。
【００４５】
図１３は、画像形成装置２の動作の一例を示すフローチャートである。図４に示す指示釦７１のうち、「レコメンドスキャン」と表示されたレコメンドスキャン指示釦７１Ａを選択すると（Ｓ１）、図５に示すレコメンドスキャン画面７０が表示されるようになっている。
【００４６】
ここで、「レコメンドスキャン」とは、アプリケーションの実行の対象となる原稿を予めスキャン機能により読み取り、読み取った画像に応じて設定値を設定することが推奨される設定項目を提案する機能をいう。レコメンドスキャン画面７０は、どのアプリケーションの設定項目を提案するかを操作者に選択させる画面である。
【００４７】
図５に示すように、レコメンドスキャン画面７０には、アプリケーション（以下、省略して単に「アプリ」ともいう。）を選択する選択釦７０１や、レコメンドスキャンの実行の開始を指示するスキャン開始釦７００が設けられている。
【００４８】
使用するアプリ（すなわち、実行しようとしているアプリ）に対応する選択釦７０１を選択し（Ｓ２）、スキャン開始釦７００が操作されると、実行手段２０５は、画像読取部２４を制御して原稿から原稿画像を読み取る（Ｓ３）。
【００４９】
第１の抽出手段２０１は、原稿画像から特徴情報を抽出する（Ｓ４）。特定手段２０２は、第１の抽出手段２０１により抽出された特徴情報に対応する原稿の種別を特定する。
【００５０】
第２の抽出手段２０３は、図６に示すように、記憶部２１に記憶された第２の履歴情報テーブル２１３から、特定手段２０２により特定された原稿の種別、及び選択されたアプリケーションに対応する履歴情報を抽出する（Ｓ５）。次に、第２の抽出手段２０３は、原稿の種別と関連付けて記録された設定項目（以下、「第１の設定項目」ともいう。）を呼び出す（Ｓ６）（図６の四角枠参照）。
【００５１】
設定項目の設定回数が予め定められた第１の回数以上の場合（Ｓ７：Ｙｅｓ）、表示制御手段２０４は、図７に示すように、当該第１の設定項目を示すアイコン８０を含む推奨画面８を表示するよう制御する（Ｓ８）。
【００５２】
ここで「アイコン」とは、機能の内容を図形で表したもの、機能の内容を図形で表したものに文字や記号を付加したものや、文字や記号のみで構成されたものをいう。このアイコン８０は、第１の設定項目を識別する情報（例えば、設定項目の名称等）を示すとともに、操作することにより第１の設定項目に設定値を設定できるようになっている。すなわち、アイコン８０は、設定手段の一例である。
【００５３】
また、第２の抽出手段２０３は、設定回数の多い順に予め定められた個数（例えば、２つや３つ等）の第１の設定項目を選択して抽出してもよい。この場合、表示制御手段２０４は、予め定められた個数の第１の設定項目に係るアイコン８０を表示するよう制御してもよい。
【００５４】
また、第２の抽出手段２０３は、設定項目の設定回数が予め定められた第２の回数未満場合は、設定項目の数が予め定められた個数以下となる場合であっても、当該設定項目を選択しないようにしてもよい。表示制御手段２０４は、選択されなかった第１の設定項目に係るアイコン８０を表示しないように制御してもよい。
【００５５】
換言すれば、第２の抽出手段２０３は、設定項目の設定回数が予め定められた第２の回数以上の場合のみ、当該設定項目を選択して抽出するようにしてもよい。なお、予め定められた第２の回数は、上述の予め定められた第１の回数よりも小さくてよい。換言すれば、予め定められた第２の回数は、第１の設定項目を選択して表示するか否かを決定する基準となる下限値である。
【００５６】
上述したように、推奨画面８に表示された各アイコン８０を操作すると、アイコン８０に表示された設定項目に設定値を設定する設定画面８１，８２が表示されるようになっている。以下、アプリケーションとしてコピーが選択された場合を例に説明する。設定画面８１，８２は、設定手段の一例である。
【００５７】
「Ｎ−ｕｐ」と表示されたアイコン８０を操作すると、図８に示すように、Ｎ−ｕｐに係る設定項目を設定する設定画面８１が表示される。Ｎ−ｕｐに係る設定項目を設定する設定画面８１には、Ｎ−ｕｐを設定するか否かの指定や、Ｎ−ｕｐを設定する場合の「Ｎ」の数の設定を行うＮ−ｕｐ設定釦８１０、向きを設定する向き設定釦８１１等が設けられている。
【００５８】
「カラーモード」と表示されたアイコン８０を操作すると、図９に示すように、色に係る出力の条件に係る設定項目を設定する設定画面８２が表示される。この設定画面８２には、「フルカラー」、「白黒」、「２色カラー」、「単色カラー」等の出力条件を選択するカラー設定釦８２０が設けられている。
【００５９】
アイコン８０を選択して表示された設定画面８１，８２により、設定値の設定が行われる（Ｓ９）。なお、設定値には、何らかの初期値が設定されていてもよい。この場合、操作者は、設定値の確認を行うとともに、必要に応じて設定値の変更を行う。また、初期値は、履歴情報に応じて設定してもよい。
【００６０】
設定値が設定されると、実行手段２０５は、操作者からの実行の指示に従ってアプリケーション（処理）を実行する（Ｓ１０）。
【００６１】
次に、表示制御手段２０４は、図１０に示すように、確認画面９を表示するよう制御する（Ｓ１１）。確認画面９は、アプリケーションが実行されたときに設定値の設定が行われた設定項目を示す情報を第１の履歴情報テーブル２１２に新たな履歴情報として追加して記録するか否かを操作者に確認する画面である。
【００６２】
確認画面９には、例えば、当該情報を追加するか否かを確認する確認メッセージ９１、原稿の種別及び設定項目を示すジョブ情報９２、追加を指示する追加釦９３等が含まれている。確認メッセージ９１は、確認情報の一例である。
【００６３】
追加釦９３が操作されると、すなわち、原稿の種別と設定項目を示す情報とを関連付けて保存することが指示されると（Ｓ１２：Ｙｅｓ）、更新手段２０６は、図１１に示すように、原稿の種別と設定項目を示す情報とを関連付けて新たな履歴情報として第１の履歴情報テーブル２１２に保存する（Ｓ１３）。
【００６４】
集計手段２０７は、図１２に示すように、更新された第１の履歴情報テーブル２１２に応じて第２の履歴情報テーブル２１３を更新する。なお、説明の便宜上、図１２では、第２の履歴情報テーブル２１３のうち更新された情報のみ抜粋して示した。
【００６５】
＜変形例＞
次に、実施の形態の変形例について、図１４、図１５及び図１６を参照して説明する。変形例では、一部の設定項目に予め設定値を設定する点で、上述の実施の形態と相違する。以下、上述の実施の形態と異なる点を中心に説明する。図１４は、コピーに関する設定項目に設定値を設定する設定画面の一例を示す図である。図１５は、推奨画面８の変形例を示す一例である。図１６は、変形例に係る画像形成装置２の動作の一例を示すフローチャートである。
【００６６】
図４に示すホーム画面７で「レコメンドスキャン」以外の指示釦７１を操作して、アプリケーションを選択する（Ｓ２０）。以下の説明では、「コピー」と表示された指示釦７１が操作された場合を例に挙げて説明する。
【００６７】
「コピー」と表示された指示釦７１が操作されると、表示制御手段２０４は、図１４に示すように、コピーに係る設定画面７２を表示するよう制御する（Ｓ２１）。
【００６８】
コピーに係る設定画面７２には、例えば、「部数」、「倍率」、「用紙」、「カラーモード」、「レコメンドスキャン」等の設定項目を設定する設定釦７２１や、スキャン開始釦７２０等が設けられている。このうち、特定の設定項目（例えば、「カラーモード」７２１Ａ）を予め設定したとする（Ｓ２２）。また、「レコメンドスキャン」７２１Ｂを「ＯＮ」に設定する。
【００６９】
スキャン開始釦７２０が操作されると、上述の実施の形態で説明したステップＳ３からＳ６までと同様に動作する。すなわち、実行手段２０５が画像読取部２４を制御して原稿から原稿画像を読み取り（Ｓ２３）、第１の抽出手段２０１が原稿画像から特徴情報を抽出し（Ｓ２４）、特定手段２０２が第１の抽出手段２０１により抽出された特徴情報に対応する原稿の種別を特定し、第２の抽出手段２０３が第２の履歴情報テーブル２１３から原稿の種別及び選択されたアプリケーションに対応する履歴情報を抽出し（Ｓ２５）、第２の抽出手段２０３が原稿の種別と関連付けて記録された第１の設定項目を呼び出す（Ｓ２６）（図６参照）。
【００７０】
次に、第２の抽出手段２０３は、呼び出した第１の設定項目の中から未設定の設定項目（以下、「第３の設定項目」ともいう。）をさらに抽出する（Ｓ２７）。「未設定」とは、設定値が設定されていない状態にある設定項目をいう。なお、設定値が設定された状態にある設定項目を、「第２の設定項目」ともいう。
【００７１】
第３の設定項目のうち、設定回数が予め定められた第３の回数以上の場合（Ｓ２８：Ｙｅｓ）、表示制御手段２０４は、図１５に示すように、当該第３の設定項目を示すアイコン８０を含む推奨画面８Ａを表示するよう制御する（Ｓ２９）。予め定められた第３の回数は、上述した予め定められた第１の回数と同一の数でもよい。
【００７２】
図１５に示すように、推奨画面８Ａには、第２の抽出手段２０３により呼び出された第１の設定項目（例えば、「Ｎ−ｕｐ」、「カラーモード」及び「ホチキス」）のうち、上述のステップＳ２２で設定された「カラーモード」に係る第２の設定項目を除く第３の設定項目（すなわち、「Ｎ−ｕｐ」及び「ホチキス」）を示す２つのアイコン８０が含まれる。
【００７３】
以降、ステップＳ３０からＳ３２までは、上述の実施の形態で説明したステップＳ９、Ｓ１０及びＳ１３と同様に動作する。すなわち、表示されたアイコン８０を選択して表示された設定画面８１，８２により設定値の設定が行われると（Ｓ３０）、実行手段２０５が操作者からの実行の指示に従ってアプリケーション（処理）を実行し（Ｓ３１）、更新手段２０６が新たな履歴情報として設定項目を示す情報を第１の履歴情報テーブル２１２に保存する（Ｓ３２）。
【００７４】
なお、変形例においても、上述した実施の形態におけるステップＳ１１及び１２に係る工程、すなわち、確認画面９を表示して操作者に保存の指示を確認する工程を含めてもよい。
【００７５】
以上、本発明の実施の形態を説明したが、本発明の実施の形態は上記実施の形態に限定されるものではなく、本発明の要旨を変更しない範囲内で種々の変形、実施が可能である。例えば、上述の第１の履歴情報テーブル２１２は、当該操作者の情報に加えて他の操作者によって実行されたアプリケーションの情報を含んで構成したが、操作者を識別する情報や、テナント等の操作者の所属や属性を示す情報と関連付けて記録してもよい。
【００７６】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００７７】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００７８】
２  画像形成装置
２０  制御部
２００  受付手段
２０１  第１の抽出手段
２０２  特定手段
２０３  第２の抽出手段
２０４  表示制御手段
２０５  実行手段
２０６  更新手段
２０７  集計手段
２１  記憶部
２１０  プログラム
２１１  原稿情報
２１２  第１の履歴情報テーブル
２１３  第２の履歴情報テーブル
２１４  画面情報
２２  操作表示部
２４  画像読取部
２５  画像出力部
２６  ファクシミリ通信部
２７  ネットワーク通信部
３  外部ファクシミリ装置
４  外部装置
５  公衆回線網
６  ネットワーク
７  ホーム画面
７０  レコメンドスキャン画面
７００，７２０  スキャン開始釦
７０１  選択釦
７１  指示釦
７１Ａ  レコメンドスキャン指示釦
７２  設定画面（コピー）
７２１  設定釦
７２１Ａ  設定釦（カラーモード）
７２１Ｂ  設定釦（レコメンドスキャン）
８，８Ａ  推奨画面
８０  アイコン
８１  設定画面（Ｎ−ｕｐ）
８１０  Ｎ−ｕｐ設定釦
８１１  向き設定釦
８２  設定画面（カラーモード）
８２０  カラー設定釦
９  確認画面
９１  確認メッセージ
９２  ジョブ情報
９３  追加釦
【図１】
2020043517.tif 000003
【図２】
2020043517.tif 000004
【図３】
2020043517.tif 000005
【図４】
2020043517.tif 000006
【図５】
2020043517.tif 000007
【図６】
2020043517.tif 000008
【図７】
2020043517.tif 000009
【図８】
2020043517.tif 000010
【図９】
2020043517.tif 000011
【図１０】
2020043517.tif 000012
【図１１】
2020043517.tif 000013
【図１２】
2020043517.tif 000014
【図１３】
2020043517.tif 000015
【図１４】
2020043517.tif 000016
【図１５】
2020043517.tif 000017
【図１６】
2020043517.tif 000018